(57)【要約】【課題】  光硬化型の接着剤を用いてカメラモジュールを組み立てる場合に、光に含まれる赤外線がレンズに照射されることを防止し、レンズに歪みが生じないようにする。【解決手段】  カメラモジュール１の組立装置２は、レンズ４が組み込まれたカメラモジュール１の所定の接着位置に塗布された光硬化型の接着剤１３を硬化させるべく、この接着剤１３に光を照射する光照射手段１４と、光照射手段１４と接着剤１３との間に設けられるとともに、光照射手段１４から照射される光に含まれる赤外線がカメラモジュール１のレンズ４に照射されないようにすべく、この赤外線を遮断する赤外線遮断手段１５とを備える。【選択図】図１
2009244604.tif 000002
【特許請求の範囲】
【請求項１】
レンズが組み込まれたレンズバレルの所定の接着位置に塗布された光硬化型の接着剤を硬化させるべく、この接着剤に光を照射する光照射手段と、光照射手段と接着剤との間に設けられるとともに、光照射手段から照射される光に含まれる赤外線がレンズに照射されないようにすべく、この赤外線を遮断する赤外線遮断手段とを備えることを特徴とするカメラモジュールの組立装置。
【請求項２】
前記赤外線遮断手段は、光照射手段とレンズバレルとの間で、レンズに重なるように配置されるとともに、光照射手段から照射される光に含まれる赤外線を遮断する赤外線遮断部と、光照射手段からの光を通過させて前記接着剤に照射させるべく、この光が通過可能な通過部とを備えることを特徴とする請求項１に記載のカメラモジュールの組立装置。
【請求項３】
前記赤外線遮断手段は、赤外線カットフィルタであることを特徴とする請求項１に記載のカメラモジュールの組立装置。
【発明の詳細な説明】
【技術分野】
【０００１】
本発明は、例えば携帯電話や情報端末用に用いられるカメラモジュールを組み立てる組立装置に関する。
【背景技術】
【０００２】
例えば、図４に示すように、従来のカメラモジュール２０は、固体撮像素子２１が設けられた撮像装置本体２２に、レンズ２３を保持するレンズ鏡筒（レンズバレル）２４を、接着剤２５を介して接合することにより構成される（例えば特許文献１参照）。
【０００３】
このカメラモジュール２０は、レンズ鏡筒２４と撮像装置本体２２とを接合するために、熱硬化性樹脂等の接着剤２５を使用している。レンズ鏡筒２４と撮像装置本体２２を接合するための接着剤２５には、熱硬化型の他に、光を照射することで硬化する光硬化型のものもある。光硬化型の接着剤２５の種類としては、例えば、紫外線を照射することで硬化する紫外線硬化型、可視光を照射することで硬化する可視光硬化型等がある。
【０００４】
光硬化型の接着剤２５を用いてカメラモジュール２０を組み立てるには、図５に示すように、光ファイバー等の光照射手段２６を有する組立装置２７により、光を接着剤２５に照射し、接着剤２５を硬化させてレンズ鏡筒２４を撮像装置本体２２に固定する。
【特許文献１】特開２００４−１４６９４６号公報
【発明の開示】
【発明が解決しようとする課題】
【０００５】
ところで、カメラモジュール２０は、近年の小型化、高性能化の要望により画像性能を確保するためにはレンズ２３の表面寸法に高精度が要求されるようになっている。また、レンズ調整の精度向上のため短時間での接着固定が必要である。
【０００６】
このため、レンズ鏡筒２４と撮像装置本体２２との接着に熱硬化型の接着剤２５を使用すると、接着の際の熱で、レンズ２３が歪んでしまい、所期の性能を確保できない。これを防止するために、光硬化型の接着剤を使用した場合であっても、光照射手段２６から照射される短時間で接着固定する量の光に含まれている赤外線の影響により熱が発生し、レンズ２３が歪んでしまうという問題があった。
【０００７】
本発明は、上記の事情に鑑みてなされたものであり、光硬化型の接着剤を用いてカメラモジュールを組み立てる場合に、光に含まれる赤外線がレンズに照射されることを防止し、レンズに歪みが生じないようにするカメラモジュールの組立装置を提供することを課題とする。
【課題を解決するための手段】
【０００８】
本発明に係るカメラモジュールの組立装置は、上記の課題を解決するものであって、レンズが組み込まれたレンズバレルの所定の接着位置に塗布された光硬化型の接着剤を硬化させるべく、この接着剤に光を照射する光照射手段と、光照射手段と接着剤との間に設けられるとともに、光照射手段から照射される光に含まれる赤外線がレンズに照射されないようにすべく、この赤外線を遮断する赤外線遮断手段とを備えることを特徴とする。
【０００９】
かかる構成によれば、赤外線遮断手段によって、光照射手段から照射される光に含まれる赤外線を遮断することで、レンズに赤外線が直接照射されることを防止できるようになり、レンズに歪みが生ずることがなく、しかも、接着剤に光を照射することによって硬化させ、これによって所望のカメラモジュールを組み立てることができるようになる。
【００１０】
また、本発明に係るカメラモジュールの組立装置は、前記赤外線遮断手段が、光照射手段とレンズバレルとの間で、レンズに重なるように配置されるとともに、光照射手段から照射される光に含まれる赤外線を遮断する赤外線遮断部と、光照射手段からの光を通過させて前記接着剤に照射させるべく、この光が通過可能な通過部とを備える構成を採用できる。
【００１１】
かかる構成によれば、赤外線遮断手段の赤外線遮断部によって、光照射手段から照射される光に含まれる赤外線を遮断することで、レンズに赤外線が直接照射されることを防止し、レンズに歪みが生じないようにできる。さらに、光照射手段からの光を通過部から通過させて光硬化型の接着剤に照射して硬化させることにより、所望のカメラモジュールを組み立てることができるようになる。
【００１２】
また、本発明に係るカメラモジュールの組立装置は、前記赤外線遮断手段が、赤外線カットフィルタとされていてもよい。
【００１３】
かかる構成によれば、赤外線カットフィルタによって、赤外線を遮断することで、レンズに赤外線が直接照射されることを防止し、レンズに歪みが生じないようにできる。さらに、光照射手段から照射される赤外線以外の光が赤外線カットフィルタを通過して光硬化型の接着剤に照射されてこれを硬化させ、これによって、所望のカメラモジュールを組み立てることができるようになる。
【発明の効果】
【００１４】
本発明によれば、光硬化型の接着剤を用いてカメラモジュールを組み立てる場合に、光に含まれる赤外線がレンズに照射されることを防止し、レンズに歪みが生じないようにできる。
【発明を実施するための最良の形態】
【００１５】
以下、本発明の実施の形態を、図面に基づき説明する。図１、図２は、本発明に係るカメラモジュール１の組立装置（以下、単に「組立装置」という）２の第１実施形態を示している。
【００１６】
組立装置２は、レンズバレル３に取り付けられたレンズ４と、基板５に設けられたＣＣＤ等の撮像素子６とを有するカメラモジュール１を組み立てるためのものである。レンズバレル３は、レンズ４を保持する第１レンズバレル７と、この第１レンズバレル７と撮像素子６との相対的な位置を設定可能な第２レンズバレル８とを有する。
【００１７】
第１レンズバレル７は、その筒心方向の一端部に絞り部９を有し、他端部に、第２レンズバレル８と螺合可能なねじ部（雌ねじ部）１０を有する。第１レンズバレル７は、その内側の中途部でレンズ４を三点支持によって保持している。図１に示すように、第１レンズバレル７内には、１枚のレンズ４が保持されているが、第１レンズバレル７は、内部に複数枚のレンズ４を保持できるようになっている。
【００１８】
第２レンズバレル８は、基板５に固定されたＣＣＤ等の撮像素子６を囲むようにして基板５に固定されている。この第２レンズバレル８は、その筒心方向の一端部に、第１レンズバレル７と螺合可能なねじ部（雄ねじ部）１１を有し、その他端部（基部）にフランジ部１２を有する。
【００１９】
カメラモジュール１は、基板５に固定された第２レンズバレル８の端部の雄ねじ部１１に、第１レンズバレル７の雌ねじ部１０を螺合させ、その螺合の程度を調節することにより、撮像素子６に対してレンズ４の焦点が合う（ピントが合う）ように、その距離を設定できるようになっている。
【００２０】
このカメラモジュール１は、このレンズ４と撮像素子６との適切な距離を維持すべく、第１レンズバレル７が第２レンズバレル８に固定されている。第１レンズバレル７は、光硬化型接着剤１３を介して第２レンズバレル８に固定される。図１に示すように、第１レンズバレル７は、その筒心方向の一端部が、第２レンズバレル８のフランジ部１２に光硬化型接着剤１３を介して接着されることで、第２レンズバレル８に固定される。
【００２１】
なお、本実施形態では、第１レンズバレル７を第２レンズバレル８に固定するための光硬化型接着剤１３には、可視光硬化型のものが使用される。
【００２２】
このカメラモジュール１の組立装置２は、カメラモジュール１に光を照射する光照射手段１４と、この光照射手段１４から照射される光に含まれる赤外線がカメラモジュール１のレンズ４に照射されるのを防ぐための赤外線遮断手段１５とを有する。
【００２３】
光照射手段１４には、例えば光ファイバーが使用される。この光照射手段１４は、その先端部から光を放射できるようになっている。
【００２４】
図１に示すように、赤外線遮断部１５は、光照射手段１４の先端部に取り付けられている。この赤外線遮断手段１５は、図２に示すように、筒状の本体１６と、この本体１６の内側に配置される赤外線遮断部１７と、この赤外線遮断部１７を支持する支持部１８と、光照射手段１４から放射させる光が通過可能な通過部１９とを有する。
【００２５】
赤外線遮断部１７は、円板状とされており、本体１６の筒心とほぼ同心状に配置されている。赤外線遮断部１７は、その直径が、少なくとも第１レンズバレル７の絞り部９よりも大きくされていることが望ましい。この赤外線遮断部１７は、光照射手段１４と、カメラモジュール１との間で、カメラモジュール１のレンズ４と重なるように配置されている。これにより、赤外線遮断部１７は、光照射手段１４の光がレンズ４に直接照射されることを防止する。
【００２６】
支持部１８は、その一端部が赤外線遮断部１７に固定され、その他端部が本体１６の内面に固定されている。これにより、支持部１８は、赤外線遮断部１７と本体１６とを連結するとともに、この赤外線遮断部１７を支持している。
【００２７】
本実施形態では、複数（図例では３つ）の支持部１８，１８，…によって赤外線遮断部１７を支持している。各支持部１８の一端部は、赤外線遮断部１７に対し、その外周に沿って所定の間隔をおいて固定されている。また、各支持部１８の他端部は、本体１６の内面に対し、その内周に沿って所定の間隔をおいて固定されている。換言すれば、複数の支持部１８，１８，…は、赤外線遮断部１７と本体１６の内面との間で、円周方向に所定の間隔をおいて配置されている。
【００２８】
通過部１９は、赤外線遮断部１７と本体１６の内面との間に開口部として形成されている。より具体的には、通過部１９は、赤外線遮断部１７と本体１６との間に設けられた各支持部１８の間に形成されている開口部である。
【００２９】
組立装置２は、光照射手段１４によって放射される光が、この通過部１９を通過し、第１レンズバレル７と第２レンズバレル８との接合位置に塗布される可視光硬化型の接着剤１３に照射されることで、これを硬化させ、第１レンズバレル７を第２レンズバレル８に固定するようになっている。
【００３０】
上記構成の組立装置２によれば、赤外線遮断手段１５に設けられた通過部１９から光を通過させ、所定の接着位置に塗布された光硬化型接着剤１３にこの光を照射することで、所定のカメラモジュール１を組み立てることができる。
【００３１】
さらに、赤外線遮断手段１５に設けられた赤外線遮断部１７を、光照射手段１４とカメラモジュール１の接着剤との間で、レンズ４と重なるように配置することによって、光照射手段１４から照射される光に含まれる赤外線を遮断することができ、第１レンズバレル７の絞り部９を通じてレンズ４に赤外線が直接照射されることを防止できるようになる。これにより、この組立装置２は、レンズ４に歪みを生じさせずに、所望の精度のカメラモジュール１を組み立てることができる。
【００３２】
図３は、組立装置２の第２実施形態を示している。本実施形態では、赤外線遮断手段１５の構成が第１実施形態と異なっており、その他の構成は、第１実施形態と同じである。本実施形態では、赤外線遮断手段１５として、赤外線カットフィルタが使用される。この赤外線遮断手段１５は、光照射手段１４から放射される光のうち、赤外線のみを遮断し、その他の可視光等を通過させるものである。
【００３３】
この第２実施形態に係る組立装置２によれば、赤外線遮断手段１５によって、光照射手段１４から照射される光に含まれる赤外線を遮断することで、第１レンズバレル７の絞り部９を通じてレンズ４に赤外線が直接照射されることを防止できる。そして、この赤外線遮断手段１５を通過した可視光によって、第１レンズバレル７と第２レンズバレル８の接合部分に塗布された光硬化型接着剤１３を硬化させることができる。これにより、組立装置２は、レンズ４に歪みを生じさせずに、所望の精度のカメラモジュール１を組み立てることができる。
【産業上の利用可能性】
【００３４】
本発明に係るカメラモジュールの組立装置は、光硬化型の接着剤を用いてカメラモジュールを組み立てる場合に、光に含まれる赤外線がレンズに照射されることがなく、このレンズに歪みが生じないようにでき、カメラモジュールの組み立てに有用である。
【図面の簡単な説明】
【００３５】
【図１】本発明の第１実施形態に係るカメラモジュールの組立装置の側面図
【図２】赤外線遮断手段の平面図
【図３】本発明の第２実施形態に係るカメラモジュールの組立装置の側面図
【図４】従来のカメラモジュールの断面図
【図５】従来のカメラモジュールの組立装置の側面図
【符号の説明】
【００３６】
１  カメラモジュール
２  組立装置
３  レンズバレル
４  レンズ
１３  接着剤
１４  光照射手段
１５  赤外線遮断手段
１７  赤外線遮断部
１９  通過部
【図１】
2009244604.tif 000003
【図２】
2009244604.tif 000004
【図３】
2009244604.tif 000005
【図４】
2009244604.tif 000006
【図５】
2009244604.tif 000007